(57)【要約】【課題】  複数台の照明装置の情報を容易に取得することができる照明システムを提供することである。【解決手段】実施形態の照明システム１００は、通信手段２を有する複数の照明装置１０Ａ〜１０Ｄを有する照明システムであり、照明装置１０Ａ〜１０Ｄのうちの少なくとも１つが有し、通信手段２で他の照明装置に関する情報を当該照明装置から収集する収集手段と、照明装置１０Ａ〜１０Ｄのうちの少なくとも１つが有し、収集手段で収集した情報または通信手段２を介して受信される収集手段２により収集された情報を外部に送信する送信手段とを備える。 【選択図】図１
2018174026.tif 000002
【特許請求の範囲】
【請求項１】
通信手段を有する複数の照明装置を有する照明システムであり、
前記照明装置のうちの少なくとも１つが有し、前記通信手段で前記他の照明装置に関する情報を当該照明装置から収集する収集手段と；
前記照明装置のうちの少なくとも１つが有し、前記収集手段で収集した情報または前記通信手段を介して受信される前記収集手段により収集された情報を外部に送信する送信手段と；
を備えたことを特徴とする照明システム。
【請求項２】
前記複数の照明装置が、自動点検を行い自ら自機に関する自動点検情報を送信する手段を有し、前記収集手段は、前記送信された自動点検情報を収集することを特徴とする請求項１に記載の照明システム。
【請求項３】
前記複数の照明装置は、光源と、
外部電源から供給された電力を充電可能な非常用電源と、
前記外部電源からの電力供給または、前記外部電源からの電力の供給が遮断された場合に前記電池部からの電力供給により前記光源を点灯させるとともに前記外部電源から供給された電力を前記非常用電源に充電させる制御部と、
前記非常用電源の充電状態または前記光源の点灯状態を点検する点検部を有し、
前記収集手段は、前記照明装置に関する情報として前記点検部で点検した点検情報を収集し、前記送信手段は、前記収集手段で収集した点検情報を外部端末に送信することを特徴とする請求項１または請求項２に記載の照明システム。
【請求項４】
前記複数の照明装置は、前記点検情報から前記非常用電源または前記光源の交換時期を予測し、前記収集手段は前記照明装置が予測した交換時期情報を前記通信手段により収集することを特徴とする請求項３に記載の照明システム。
【発明の詳細な説明】
【技術分野】
【０００１】
本発明の実施形態は、照明システムに関する。
【背景技術】
【０００２】
従来、非常時に非常用電源を用いて点灯する非常灯や避難経路等への誘導のために点灯する誘導灯などの非常用照明装置が提供されている。
【０００３】
非常用照明装置は、法令により非常用照明装置の点検を定期的に行うことが定められている。非常用照明装置の定期的な点検は、例えば、非常用照明装置が規定の点検時間以上連続して点灯するか否かを確認する。しかし、非常用照明装置の定期的な点検は、点検が煩雑になり点検者等の負担を増大させる。
【０００４】
近年では、自動点検機能を有し点検結果を携帯端末へ送信する非常用照明システムがある（特許文献１参照）。しかしながら、上述した非常用照明システムは、非常照明装置が複数台設定されている場合、点検者が携帯端末を所持し各装置を巡回し点検情報を取得する必要がある。
【０００５】
そのため、点検者が各装置を巡回する時間がかかるうえに、巡回の抜けが発生する虞がある。
【先行技術文献】
【特許文献】
【０００６】
【特許文献１】特開２００７−２１４１４６号公報
【発明の概要】
【発明が解決しようとする課題】
【０００７】
本発明が解決しようとする課題は、複数台の照明装置の情報を容易に取得することができる照明システムを提供することである。
【課題を解決するための手段】
【０００８】
実施形態の照明システムは、通信手段を有する複数の照明装置を有する照明システムであり、照明装置のうちの少なくとも１つが有し、通信手段で他の照明装置に関する情報を当該照明装置から収集する収集手段と、照明装置のうちの少なくとも１つが有し、収集手段で収集した情報または通信手段を介して受信される収集手段により収集された情報を外部に送信する送信手段とを備える。
【発明の効果】
【０００９】
本発明によれば、複数台の照明装置の情報を任意の照明装置から取得することができるため、照明装置の情報収集が容易になる。
【図面の簡単な説明】
【００１０】
【図１】実施形態の照明システムの構成を示す図である。
【図２】同上照明装置の構成を示すブロック図である。
【図３】実施形態の第一照明装置の点検情報を取得するための一例を示すシーケンス図である。
【図４】実施形態の第一照明装置の点検情報を取得するための一例を示すシーケンス図である。
【図５】実施形態の第一照明装置の点検情報を取得するための一例を示すシーケンス図である。
【図６】実施形態の照明システムの第一照明装置と第二照明装置の設定変更を実行する処理の流れの一例を示すフローチャートである。
【発明を実施するための形態】
【００１１】
以下、実施形態を図面を参照して説明する。
【００１２】
図１に示すように、照明システム１００は、複数の照明装置としての第一照明装置１０Ｂ、１０Ｃ、１０Ｄ及び、第二照明装置１０Ａと、外部端末２０とを具備する照明システムである。
【００１３】
第一照明装置１０Ｂ、１０Ｃ、１０Ｄと第二照明装置１０Ａは、施設内に所定の間隔で設置されており、停電時などの非常時に点灯する非常灯または誘導灯である。外部端末２０は、例えば、スマートフォンやタブレット端末等の携帯端末である。
【００１４】
第一照明装置１０Ｂ、１０Ｃ、１０Ｄの各々は、無線通信を行う通信手段である無線通信機２を有し、第二照明装置１０Ａ、または他の第一照明装置に第一照明装置１０Ｂ、１０Ｃ、１０Ｄに関する情報を送信する。
【００１５】
第二照明装置１０Ａは、無線通信を行う無線通信機２を有し、自機に関する情報および第一照明装置１０Ｂ、１０Ｃ、１０Ｄから送信された第一照明装置１０Ｂ、１０Ｃ、１０Ｄに関する情報を収集する収集手段を有する照明装置である。
【００１６】
第二照明装置が収集した情報は第一照明装置および第二照明装置のいずれかが、無線通信機２により外部端末に送信する。つまり、複数の照明装置のいずれかが送信手段を有している。
【００１７】
本実施形態の照明システム１００では、第二照明装置１０Ａが自機および他の照明装置である第一照明装置１０Ｂ、１０Ｃ、１０Ｄに関する情報を収集する収集手段を有しているとともに、収集した情報を外部に送信する送信手段を有している場合について説明する。
【００１８】
第一照明装置１０Ｂ、１０Ｃ、１０Ｄ、および第二照明装置１０Ａの各々には、各々を識別可能なMedia Access Control（以下、「ＭＡＣ」）アドレスが付されている。第二照明装置１０Ａは、光源１Ａと、無線通信機２Ａとを有する。同様に、第一照明装置１０Ｂは、光源１Ｂと、無線通信機２Ｂとを有する。また、第一照明装置１０Ｃは、光源１Ｃと、無線通信機２Ｃとを有し、第一照明装置１０Ｄは、光源１Ｄと、無線通信機２Ｄとを有する。
【００１９】
第一照明装置１０Ｂ、１０Ｃ、１０Ｄと第二照明装置１０Ａとの間の通信方式および、第二照明装置１０Ａと外部端末２０との間の通信方式は、例えば、Bluetooth（登録商標）Low  Energy（以下、「ＢＬＥ」）などのメッシュネットワークが可能な無線通信方式である。
【００２０】
第一照明装置１０Ｂ、１０Ｃ、１０Ｄにおいて、第二照明装置１０Ａと直接通信を行える第一照明装置(例えば、１０Ｂ、１０Ｃ)は、第二照明装置１０Ａへ第一照明装置に関する情報を直接送信する。また、第一照明装置１０Ｃは、第一照明装置１０Ｂを介して、第二照明装置１０Ａへ第一照明装置に関する情報を送信することもできる。
【００２１】
また、第二照明装置１０Ａと距離が離れており、第二照明装置１０Ａからの無線信号が届かず直接通信を行えない第一照明装置(例えば、１０Ｄ)は、第二照明装置１０Ａと直接通信を行える他の第一照明装置（例えば、１０Ｃ）を介して、第一照明装置に関する情報を第一照明装置１０Ａへ送信する。
【００２２】
図１では第二照明装置１０Ａと外部端末２０が直接通信する一例を示したが、外部端末２０はＢＬＥを用いて第一照明装置１０Ｂ、１０Ｃ、１０Ｄとも通信することができる。
【００２３】
図２に照明装置である第一照明装置１０Ｂ、１０Ｃ、１０Ｄおよび第二照明装置１０Ａの構成例を示す。以下では、第一照明装置１０Ｂ、１０Ｃ、１０Ｄおよび第二照明装置１０Ａを共通して称する場合は、照明装置１０として記載する。照明装置１０は、光源１と、無線通信機２と、制御部３と、非常用電源４と、点検部５と、格納部６とを有する。照明装置１０は、外部電源である商用電源４０に接続されている。
【００２４】
光源１は、例えばＬＥＤ（Light  Emitting  Diode）であり、商用電源４０による電力供給が停止した場合に非常用電源４の電力により点灯する。
【００２５】
無線通信機２は、ＢＬＥなどのメッシュネットワークが可能な無線通信方式により、他の無線通信機２または外部端末２０と無線通信を行う。
【００２６】
制御部３は、非常時以外の常時に商用電源４０により非常用電源４を充電し、非常時に光源１を非常用電源４により点灯させるように制御する。また、制御部３は、常時に無線通信機２、点検部５及び格納部６を商用電源４０または非常用電源４により動作させる。
【００２７】
なお、非常時には制御部３は光源１への電源供給を優先するため、無線通信機２、点検部５及び格納部６への電源供給を停止し動作を停止させてもよい。また、制御部３は、照明装置１０が誘導灯の場合、商用電源４０により光源１を点灯させても良い。
【００２８】
非常用電源４は、商用電源４０による電力を充電可能な電池であり、商用電源４０による電力供給が遮断された場合に電力を供給する。
【００２９】
点検部５は、非常用電源４の充電状態または光源１の点灯状態の確認を行う。例えば、非常用電源４の電圧、電流、温度、放電時間及び放電回数などを点検する。また、光源1の電圧、電流、温度、点灯時間及び点灯回数などを点検する。この点検情報は、自機に関する情報として無線通信機２を介して他の無線通信機２または外部端末２０に出力される。また、点検部５は、点検情報から非常用電源４または光源１の寿命予測を行い、非常用電源４または光源１の交換時期情報を点検情報とともに送信することができる。
【００３０】
格納部６は、自機に関する情報を格納するメモリであり、例えば点検部５から入力される自機に関する点検情報を格納する。また、格納部６は、他の無線通信機２から出力された他の照明装置に関する点検情報を格納することができる。
【００３１】
図２に示すように、照明装置１０Ａ、１０Ｂ、１０Ｃ、１０Ｄは装置構成は同じであるが、第一照明装置１０Ｂ、１０Ｃ、１０Ｄと、第二照明装置１０Ａの無線通信機２のプログラムの設定が異なる。この設定は任意の照明装置に対して変更が可能であり、第一照明装置１０Ｂ、１０Ｃ、１０Ｄの何れかを第二照明装置１０Ａの設定に変更することができる。また、第二照明装置１０Ａの設定を第一照明装置としての設定に変更することができる。つまり、いずれかの照明装置を第二照明装置に設定または変更することによって、設定または変更した照明装置を収集手段を有する照明装置として設定することができる。これによって、第二照明装置が設定されていない場合またはどの照明装置が第二照明として設定されていたとしても任意の照明装置を第二照明装置として設定することができる。
【００３２】
次に、外部端末２０を用いて照明装置１０の点検情報を得る動作を図３ないし図５を用いて説明する。
【００３３】
図３に第一照明装置１０Ｂの点検情報を取得する一例を示す。ここでは、予め照明装置１０Ａが第二照明装置として設定されている場合について説明する。図に示すように、外部端末２０から第二照明装置１０Ａへ第一照明装置１０Ｂの点検情報要求信号が送信されると、第二照明装置１０Ａは第一照明装置１０Ｂへ点検情報要求信号を送信する。なお、外部端末２０は単に第二照明装置１０Ａに対して点検情報要求信号を送信するだけでもよく、点検情報要求信号を受けた第二照明装置１０Ａが点検対象の第一照明装置を特定し、点検対象となった第一照明装置に対して点検情報要求信号を送信してもよい。点検情報要求信号を受信した第一照明装置１０Ｂは、点検を開始し自機の点検情報から非常用電源４または光源１の交換時期を予測する。そして、第二照明装置１０Ａは第一照明装置１０Ｂから点検情報および第一照明装置１０Ｂが予測した交換時期情報を無線通信機２により収集する。点検情報を収集した第二照明装置１０Ａは点検情報要求信号を送信した外部端末２０へ点検情報を送信し、または外部端末２０の要求に基づき点検情報を送信し、点検情報を受信した外部端末２０は、外部端末２０の画面に受信結果を表示する。なお、外部端末２０は、第一照明装置１０Ｂ、１０Ｃ，１０Ｄと通信することで点検情報を要求してもよい。この場合、第一照明装置は第二照明装置が格納している点検情報を第二照明装置から取得し外部端末２０へ送信し、外部端末２０は、外部端末２０の画面に受信結果を表示してもよい。つまり、この場合には第一照明装置１０Ｂ、１０Ｃ、１０Ｄが送信手段を有している。
【００３４】
また、図４に第一照明装置１０Ｄの点検情報を取得する一例を示す。図に示すように、外部端末２０から第二照明装置１０Ａへ第一照明装置１０Ｄの点検情報要求信号が送信される。第二照明装置１０Ａは第一照明装置１０Ｃへ点検情報要求信号を送信し、受信した第一照明装置１０Ｃは１０Ｄへ点検情報要求信号を送信する。点検情報要求信号を受信した第一照明装置１０Ｄは、点検を開始し自機の点検情報を第一照明装置１０Ｃを介して第二照明装置１０Ａに送信する。そして、点検情報を受信した第二照明装置１０Ａは外部端末２０へ点検情報を送信し、点検情報を受信した外部端末２０は、外部端末２０の画面に受信結果を表示する。このように、第一照明装置は、第一照明装置間で第一照明装置に関する情報を通信することにより、第二照明装置１０Ａと距離が離れた場合でも第一照明装置を介して情報を送ることができる。図３および図４では、外部端末２０から第一照明装置１台分の点検情報を要求する例を示したが、第二照明装置１０Ａと第一照明装置１０Ｂ、１０Ｃ、１０Ｄの点検情報を一括して要求することもできる。
【００３５】
このように、第二照明装置１０Ａが第一照明装置１０Ｂ、１０Ｃ、１０Ｄの点検情報を収集し、収集した点検情報を外部端末２０へ送信することができるので、点検者は一台の照明装置から全照明装置の点検情報を収集することができる。
【００３６】
また、図５に示すように、照明装置１０Ａ、１０Ｂ、１０Ｃ、１０Ｄはそれぞれ自動点検を行い、第一照明装置１０Ｂ、１０Ｃ、１０Ｄは自ら自機に関する点検情報を無線通信機２により第二照明装置１０Ａへ送信し、第二照明装置１０Ａは送信された点検情報を収集することができる。図５では、第一照明装置１０Ｂ、１０Ｃ、１０Ｄはそれぞれ自ら定期的に自動点検を実施し、１０Ｂ，１０Ｃは第二照明装置１０Ａへ、１０Ｄは１０Ｃを介して１０Ａへ点検情報を送信する。第一照明装置１０Ｂ、１０Ｃ、１０Ｄはそれぞれ自機の格納部６に点検情報を格納する。また、第二照明装置１０Ａも自ら定期的に自動点検を実施し、格納部６に自機の点検情報を格納するとともに、第一照明装置１０Ｂ、１０Ｃ、１０Ｄから送信された点検情報を格納することができる。
【００３７】
図５では、第一照明装置１０Ｂの点検情報を取得する一例を示す。照明装置１０Ａ、１０Ｂ、１０Ｃ、１０Ｄは自ら定期的に自動点検を実施する。第一照明装置は、点検情報を自機の格納部６に格納し、第二照明装置１０Ａへ点検情報を送信する。第二照明装置１０Ａは、自機の点検情報と受信した第一照明装置の点検情報を自機の格納部６に格納する。外部端末２０から第二照明装置１０Ａへ、例えば第一照明装置１０Ｂの点検情報要求信号が送信されると、第二照明装置１０Ａは格納部６から第一照明装置１０Ｂの点検情報を選択し外部端末２０へ返信する。点検情報を受信した外部端末２０は、外部端末２０の画面に受信結果を表示する。なお、外部端末２０は第一照明装置１０Ｂ、１０Ｃ、１０Ｄと通信することで点検情報要求信号を送信するようにしてもよい。この場合、第一照明装置は第二照明装置が格納している点検情報を第二照明装置から取得し、外部端末２０へ送信してもよい。つまり、この場合には第一照明装置１０Ｂ、１０Ｃ、１０Ｄが送信手段を有している。
【００３８】
このように、第二照明装置１０Ａが第一照明装置１０Ｂ、１０Ｃ、１０Ｄの自動点検による点検情報を格納することにより、点検者は一台の照明装置から全照明装置の点検情報を収集することができる。また、非常用電源４の点検には時間がかかることがあり、外部端末２０が点検情報を要求してから点検情報を表示するまでに多くの時間が必要となる場合がある。しかしながら第二照明装置１０Ａが定期的に第一照明装置の点検情報を格納していることにより、点検情報要求を受けたときに、実際に点検を行うことなく点検情報を取得することができる。また、例えば、第一照明装置１０Ｂが故障した場合でも故障前までの点検情報を第二照明装置１０Ａから入手することができ、格納している点検情報の履歴から故障した原因を特定することができる。
【００３９】
また、図３ないし図５では、外部端末２０が第一照明装置１０Ｂ、１０Ｄの点検情報を要求する一例を示したが、同様に第一照明装置１０Ｃの点検情報を得ることができる。また、第二照明装置１０Ａの点検情報を要求する場合は、外部端末２０から第二照明装置１０Ａに点検情報の要求信号が送信され、信号を受信した第二照明装置１０Ａは自機の点検情報を外部端末２０へ送信する。
【００４０】
このように、実施形態の照明システム１００は、無線通信機２を有る複数の照明装置１０Ａ、１０Ｂ、１０Ｃ、１０Ｄを有し、第二照明装置１０Ａが他の照明装置１０Ｂ、１０Ｃ、１０Ｄに関する情報を当該照明装置から収集する収集手段である第二照明装置１０Ａと、収集した情報を外部端末２０へ送信する送信手段とを有する。このため、点検者は第二照明装置１０Ａと通信可能な範囲から移動せずに照明装置１０Ａ、１０Ｂ、１０Ｃ、１０Ｄの情報を得られるため、点検作業が容易になる。また、照明装置１０Ａ、１０Ｂ、１０Ｃ、１０Ｄが点検情報に加え非常用電源４または光源１の交換時期情報を送信することにより、非常用電源４または光源１の寿命前の交換を促すことが可能となる。また、点検情報を外部端末２０へ送信することにより、点検者は情報収集に合わせて照明器具の目視確認を実施することができる。
【００４１】
次に、図６を参照して、照明装置１０の第二照明装置と第一照明装置を任意に変更する流れの一例を説明する。変更方法は、外部端末２０から照明装置１０へ、第二照明装置に変更する信号（第二照明装置に設定したい照明装置のＭＡＣアドレス信号）を送信することで、変更信号と同じＭＡＣアドレスを有する照明装置が第二照明装置に設定変更される。なお、外部端末２０の通信可能距離を２台以上の照明装置１０と同時に通信できないように設定し、外部端末２０の通信可能距離の範囲内に設置されている照明装置１０を第二照明装置に設定するようにしてもよいし、外部端末２０に最も近い照明装置１０を第二照明装置に設定してもよい。
【００４２】
図６は、実施形態に係る照明装置の第一照明装置と第二照明装置の設定を変更する流れの一例を示すフローチャートである。
【００４３】
図６に示すように、各照明装置１０は、外部端末２０または他の照明装置１０から第二照明装置の変更信号を受信したかを判定し（ステップ１）、受信していない場合は設定を変更せず待機する。一方、受信した場合は、新たな第二照明装置のＭＡＣアドレスを受信する(ステップ２)。また、照明装置１０は、自機が今まで第二照明装置であったかを判定し(ステップ３)、第二照明装置であった場合は、自機が第二照明装置である情報をリセットし(ステップ４)、受信したＭＡＣアドレスと自機のＭＡＣアドレスが一致しているか判定する（ステップ５）。ステップ３において、自機が今まで第二照明装置ではない場合はステップ５に進む。ステップ５において、受信したＭＡＣアドレスと自機のＭＡＣアドレスが一致した場合は、自機を第二照明装置に設定し(ステップ６)、第二照明装置としての動作を開始する(ステップ７)。ステップ５において、受信したＭＡＣアドレスと自機のＭＡＣアドレスが一致しない場合は、第一照明装置としての動作を開始する。
【００４４】
このように、外部端末２０から設定変更の信号を送信することにより、複数の第一照明装置のうち任意の第一照明装置は、第二照明装置に変わるように変更できる。
【００４５】
具体的には、図１を参照すると、例えば、第一照明装置１０Ｄを第二照明装置に設定変更する場合は、外部端末２０から第二照明装置１０Ａに第一照明装置１０Ｄを第二照明装置に変更する信号（第一照明装置１０ＤのＭＡＣアドレス）を送信し、信号を受信した第二照明装置１０Ａは、受信した信号を第一照明装置１０Ｂ、１０Ｃ、１０Ｄへ送信する。信号を受信した第二照明装置１０Ａ、第一照明装置１０Ｂ、１０Ｃは、それぞれ受信したＭＡＣアドレスと自機のＭＡＣアドレスを比較し、自機のＭＡＣアドレスと一致した第一照明装置１０Ｄが第二照明装置に変更される。
【００４６】
また、外部端末２０から直接第一照明装置１０Ｄに第一照明装置１０Ｄが第二照明装置となるように信号（第一照明装置１０ＤのＭＡＣアドレス）を送信し設定を変更することができる。また、外部端末２０から第一照明装置１０Ｃに第一照明装置１０Ｄが第二照明装置となるように信号（第一照明装置１０ＤのＭＡＣアドレス）を送信し第一照明装置１０Ｄを第二照明装置に変更することができる。このように、点検者は、外部端末２０を用いて第一照明装置を第二照明装置に変更することができる。
【００４７】
また、第二照明装置と第一照明装置の設定が変更になった場合、第二照明装置がこれまで収集し格納していた第一照明装置の点検情報を、新たに第二照明装置になった照明装置へ送信することができる。例えば、第一照明装置１０Ｄが第二照明装置に変更した場合、これまで第二照明装置であった第二照明装置１０Ａが格納していた第一照明装置１０Ｂ、１０Ｃ、１０Ｄの点検情報を、新たに第二照明装置になった照明装置１０Ｄへすべて送信する。これにより、点検者はどの第一照明装置からも蓄積された点検情報を収集できる。
【００４８】
なお、第二照明装置が故障等により照明システム１００に存在しなくなった場合にも、上記のように第二照明装置の変更信号を受信することによって、第一照明装置を第二照明装置として設定してもよいし、自立的にいずれかの第一照明装置が第二照明装置に設定されるようにしてもよい。
【００４９】
なお、本実施形態の照明システムでは照明装置１０Ａが第二照明装置として収集手段と送信手段とを具備する場合について説明したが、照明装置１０Ａ、１０Ｂ、１０Ｃ、１０Ｄのいずれが収集手段および送信手段を有して動作していてもよい。また、収集手段と送信手段は異なる照明装置が有していてもよく、例えば照明装置１０Ａが収集手段を有し、照明装置１０Ｂが送信手段を有するようにしてもよい。また、照明装置１０Ａと照明装置１０Ｂのそれぞれが収集手段を有し、照明装置１０Ａが通信手段２を介して照明装置１０Ｂが収集した情報を収集し、照明装置１０Ａが送信手段を有するようにしてもよい。
【００５０】
以上のことから、本実施形態の照明システム１００は、通信手段２を有する複数の照明装置１０Ａ、１０Ｂ、１０Ｃ、１０Ｄを有し、照明装置１０Ａ、１０Ｂ、１０Ｃ、１０Ｄのうち少なくとも１つの照明装置が他の第一照明装置に関する情報を収集する収集手段と、照明装置１０Ａ、１０Ｂ、１０Ｃ、１０Ｄのうち少なくとも１つの第二照明装置１０Ａが収集した情報を外部端末２０へ送信する送信手段とを有することで、点検者は第二照明装置１０Ａと通信可能な範囲から移動せずに照明装置１０Ａ、１０Ｂ、１０Ｃ、１０Ｄの情報を得られるため、点検作業が容易になる。
【００５１】
また、実施形態では、照明装置が点検情報を送信または受信する場合を例に説明したが、もちろんこの構成に限ることはない。例えば、実施形態に係る照明装置は、電池を有しない通常の照明装置であり、第二照明装置１０Ａが第一照明装置１０Ｂ、１０Ｃ、１０Ｄから製造情報や点灯装置の通電情報、過去の制御情報などの装置情報を収集する構成であっても良い。  
【００５２】
また、実施形態では、通信手段として無線通信機を用いた場合を例に説明したが、有線による通信手段であっても良い。
【００５３】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５４】
１００  照明システム
１０  照明装置  
２０  外部端末
１    光源
２    無線通信機(通信手段)
【図１】
2018174026.tif 000003
【図２】
2018174026.tif 000004
【図３】
2018174026.tif 000005
【図４】
2018174026.tif 000006
【図５】
2018174026.tif 000007
【図６】
2018174026.tif 000008